(57)【要約】    【課題】  電気機器の待機状態での動作のために消費される待機電力の消費を低減し、電力消費量の低減や電気料金の低減を図ること。    【解決手段】  本発明では、電気機器に配電盤を介して電力を供給する配電システムにおいて、配電盤から電気機器へ電力を供給する電力供給ラインを、配電盤と電気機器とを直結して電気機器に連続して常時電力を供給する電力連続供給ラインと、配電盤と電気機器との間に入切スイッチを介して接続して電気機器に断続して電力を供給する電力断続供給ラインとに分離することにした。【選択図】      図１
2007014169.tif 000002
【特許請求の範囲】
【請求項１】
電気機器に配電盤を介して電力を供給する配電システムにおいて、
配電盤から電気機器へ電力を供給する電力供給ラインを、
配電盤と電気機器とを直結して電気機器に連続して常時電力を供給する電力連続供給ラインと、
配電盤と電気機器との間に入切スイッチを介して接続して電気機器に断続して電力を供給する電力断続供給ラインと、
に分離したことを特徴とする配電システム。
【請求項２】
前記電力断続供給ラインは、前記電力連続供給ラインの中途部を分岐して形成したことを特徴とする請求項１に記載の配電システム。
【請求項３】
前記電力断続供給ラインは、家屋内の各部屋毎に前記入切スイッチを設け、各入切スイッチを各部屋毎に予め設定した遠隔操作信号によって入切操作を遠隔操作できるように構成したことを特徴とする請求項１又は請求項２に記載の配電システム。
【請求項４】
前記電力断続供給ラインは、前記入切スイッチを配置した部屋の照明のオン・オフ操作に連動して前記入切スイッチの入切操作が行われるように構成したことを特徴とする請求項１〜請求項３のいずれかに記載の配電システム。
【発明の詳細な説明】
【技術分野】
【０００１】
本発明は、家屋内の電気機器に配電盤を介して電力を供給する配電システムに関するものである。
【背景技術】
【０００２】
従来の家屋内における電気機器に配電盤を介して電力を供給する配電システムは、家屋内に配電盤を設置し、外部電線から供給された電力を配電盤で複数の電力供給ラインに分配して、各電力供給ラインにテレビや冷暖房機や冷蔵庫などの電気機器を接続しており、各電気機器に常時連続して電力を供給するようにしていた（たとえば、特許文献１参照。）。
【０００３】
そして、電源の入切操作は、各電気機器に設けられた入切スイッチを操作することによって行っていた。
【特許文献１】特開２００４−１１２９２０号公報
【発明の開示】
【発明が解決しようとする課題】
【０００４】
ところが、近年の電気機器では、起動時間の短縮化や遠隔操作信号の待ち受けや内蔵タイマーなどの待機状態での動作を行わせるために、各電気機器に設けられた入切スイッチを切断状態にしてもなお各電気機器の内部において一部の電子回路が動作しており、この一部の電子回路を動作させるためのいわゆる待機電力が消費されていた。
【０００５】
そのため、電気機器の入切スイッチをまめに切断しておいても、必要としていない待機状態での動作のための電力が消費されてしまうことによって家屋内で電力が無駄に消費されてしまい、電気料金を無駄に多く払わなければならなかった。
【０００６】
また、この無駄な待機電力の消費を防止するためには、電気機器の入切スイッチを切断状態にするだけでなく、電気機器のコンセントを外さなければならず、煩雑な操作が必要であった。
【課題を解決するための手段】
【０００７】
そこで、請求項１に係る本発明では、電気機器に配電盤を介して電力を供給する配電システムにおいて、配電盤から電気機器へ電力を供給する電力供給ラインを、配電盤と電気機器とを直結して電気機器に連続して常時電力を供給する電力連続供給ラインと、配電盤と電気機器との間に入切スイッチを介して接続して電気機器に断続して電力を供給する電力断続供給ラインとに分離することにした。
【０００８】
また、請求項２に係る本発明では、前記請求項１に係る本発明において、前記電力断続供給ラインは、前記電力連続供給ラインの中途部を分岐して形成することにした。
【０００９】
また、請求項３に係る本発明では、前記請求項１又は請求項２に係る本発明において、前記電力断続供給ラインは、家屋内の各部屋毎に前記入切スイッチを設け、各入切スイッチを各部屋毎に予め設定した遠隔操作信号によって入切操作を遠隔操作できるように構成することにした。
【００１０】
また、請求項４に係る本発明では、前記請求項１〜請求項３のいずれかに係る本発明において、前記電力断続供給ラインは、前記入切スイッチを配置した部屋の照明のオン・オフ操作に連動して前記入切スイッチの入切操作が行われるように構成することにした。
【発明の効果】
【００１１】
そして、本発明では、以下に記載する効果を奏する。
【００１２】
すなわち、請求項１に係る本発明では、電気機器に配電盤を介して電力を供給する配電システムにおいて、配電盤から電気機器へ電力を供給する電力供給ラインを、配電盤と電気機器とを直結して電気機器に連続して常時電力を供給する電力連続供給ラインと、配電盤と電気機器との間に入切スイッチを介して接続して電気機器に断続して電力を供給する電力断続供給ラインとに分離しているために、待機動作の必要性を感じる電気機器だけを電力連続供給ラインに接続し、待機動作の必要性を感じない電気機器を電力断続供給ラインに接続しておけば、無駄に待機電力が消費されてしまうことがなくなり、家屋内での消費電力量を低減することができ、電気料金を低減することができる。
【００１３】
また、請求項２に係る本発明では、電力連続供給ラインの中途部を分岐して電力断続供給ラインを形成しているために、一部の電力連続供給ラインを電力断続供給ラインとしても兼用することができ、屋内での配線を少なくすることができ、配電システムの施工に要する時間や労力や費用を低減することができる。
【００１４】
また、請求項３に係る本発明では、家屋内の各部屋毎に前記入切スイッチを設け、各入切スイッチを各部屋毎に予め設定した遠隔操作信号によって入切操作を遠隔操作できるように電力断続供給ラインを構成しているために、各部屋毎に電力断続供給ラインの入切操作を容易に行うことができる。
【００１５】
また、請求項４に係る本発明では、入切スイッチを配置した部屋の照明のオン・オフ操作に連動して入切スイッチの入切操作が行われるように電力断続供給ラインを構成しているために、各部屋への出入りに伴って必要なときだけ電力断続供給ラインの入切操作を行うことができる。
【発明を実施するための最良の形態】
【００１６】
以下に本発明に係る配電システムの具体的な構成について図面を参照しながら説明する。
【００１７】
図１に示すように、配電システム１は、家屋２の内部に配電盤３を設置し、この配電盤３に外部から電力を供給する外部電線４を接続し、この配電盤３の内部で外部電線４から供給された電力を照明用電力と連続供給電力と断続供給電力とに分配している。
【００１８】
そして、配電システム１は、家屋２の内部の各部屋5,6に設置した照明器具7,8に照明用電力を配電盤３から照明用電力供給ライン９を介して供給するとともに、各部屋5,6に設置した待機動作も含めて常時使用するビデオレコーダー10や冷暖房機11に連続供給電力を配電盤３から電力連続供給ライン12を介して供給し、さらに、各部屋5,6に設置した待機動作を行わせないテレビ13やコンピューター14やデスクライト15に断続供給電力を配電盤３から電力断続供給ライン16を介して供給するようにしている。
【００１９】
ここで、照明用電力供給ライン９は、配電盤３と電気機器である照明器具7,8との間に各部屋5,6に設置した入切スイッチ17,18を介して接続しており、この入切スイッチ17,18の入切操作によって照明器具7,8に電力を断続的に供給するようになっている。したがって、この照明用電力供給ライン９も電力断続供給ライン16と同様の機能となっている。
【００２０】
また、電力連続供給ライン12は、配電盤３と電気機器であるビデオレコーダー10や冷暖房機11との間にスイッチを介さずに直接的に接続しており、配電盤３から連続して常時電力を供給するようになっている。
【００２１】
また、電力断続供給ライン16は、配電盤３と電気機器であるテレビ13やコンピューター14やデスクライト15との間に各部屋5,6に設置した入切スイッチ19,20,21を介して接続しており、この入切スイッチ19,20,21の入切操作によって電力を断続的に供給するようになっている。
【００２２】
このように、図１に示す配電システム１では、配電盤３から電気機器（ビデオレコーダー10、冷暖房機11、テレビ13、コンピューター14、デスクライト15）へ電力を供給する電力供給ラインを、配電盤３と電気機器とを直結して電気機器に連続して常時電力を供給する電力連続供給ライン12と、配電盤３と電気機器との間に入切スイッチ19,20,21を介して接続して電気機器に断続して電力を供給する電力断続供給ライン16とに分離している。
【００２３】
そのため、配電システム１では、待機動作の必要性を感じる電気機器（ここでは、タイマー予約機能を有するビデオレコーダー10やリモートコントローラによる遠隔操作機能を有する冷暖房機11。）だけを電力連続供給ライン12に接続し、待機動作の必要性を感じない電気機器（ここでは、テレビ13やコンピューター14やデスクライト15。）を電力断続供給ライン16に接続しておけば、無駄に待機電力（たとえば、テレビ13の遠隔操作機能やタイマー起動機能などのための電力）が消費されてしまうことがなくなり、家屋２の内部での消費電力量を低減することができ、電気料金を低減することができる。
【００２４】
また、配電システム１では、待機動作を行わせる必要性を感じたときにその電気機器を電力断続供給ライン16から電力連続供給ライン12に接続変更すればよく、使用者の使用形態に即した使い方を容易に選択することができる。
【００２５】
図１に示した配電システム１では、配電盤３から電力連続供給ライン12と電力断続供給ライン16とを分岐してそれぞれのライン12,16を家屋２の内部で独立して配線するようにしているが、図４に示すように、電力連続供給ライン12の中途部を分岐するとともに、分岐部の下流側に入切スイッチ19,20,21を介設して、電力断続供給ライン16を形成することもできる。
【００２６】
このように、図４に示した配電システム1'では、電力連続供給ライン12の中途部を分岐して電力断続供給ライン16を形成しているために、一部の電力連続供給ライン12を電力断続供給ライン16としても兼用することができる。
【００２７】
そのため、配電システム1'では、家屋２の内部での配線を少なくすることができ、配電システム1'の施工に要する時間や労力や費用を低減することができる。
【００２８】
また、図１に示した配電システム１では、図２及び図３に示すように、各部屋5,6に設置した照明用の入切スイッチ17,18と電気機器用の入切スイッチ19,20,21とが連動して断続動作するようになっており、しかも、各部屋5,6に設置した電気機器用の入切スイッチ19,20,21を専用のリモートコントローラ22,23,24で遠隔操作できるようになっている。
【００２９】
すなわち、配電システム１は、図２に示すように、部屋５に設置した照明用の入切スイッチ17と電気機器用の入切スイッチ19とが連動連結しており、照明用の入切スイッチ17を接続状態にして照明器具７を点灯させると、同時に電力断続供給ライン16に介設した電気機器用の入切スイッチ19も接続状態になり、電力断続供給ライン16から電気機器（テレビ13）に電力が供給され、一方、照明用の入切スイッチ17を切断状態にして照明器具７を消灯させると、同時に電力断続供給ライン16に介設した電気機器用の入切スイッチ19も切断状態になり、電力断続供給ライン16から電気機器への電力供給が停止するようになっている。
【００３０】
同様に、配電システム１は、部屋６に設置した照明用の入切スイッチ18と電気機器用の入切スイッチ20,21とが連動連結しており、照明用の入切スイッチ18を接続状態にして照明器具８を点灯させると、同時に電力断続供給ライン16に介設した電気機器用の入切スイッチ20,21も接続状態になり、電力断続供給ライン16から電気機器（コンピューター14及びデスクライト15）に電力が供給され、一方、照明用の入切スイッチ18を切断状態にして照明器具８を消灯させると、同時に電力断続供給ライン16に介設した電気機器用の入切スイッチ20,21も切断状態になり、電力断続供給ライン16から電気機器への電力供給が停止するようになっている。
【００３１】
このように、配電システム１では、入切スイッチ19,20,21を配置した各部屋5,6の照明器具のオン・オフ操作に連動して入切スイッチ19,20,21の入切操作が行われるように電力断続供給ライン16を構成している。
【００３２】
そのため、配電システム１では、各部屋5,6への出入りに伴って必要なときだけ電力断続供給ライン16の入切操作を行うことができ、照明器具7,8のオン・オフ操作と別途電気機器の入切操作を行うといった煩雑な操作を行わなくてもよく、使い勝手を向上させることができる。
【００３３】
また、配電システム１は、部屋５の専用のリモートコントローラ22から予め設定した遠隔操作信号（第１信号25）を発信すると、部屋５に設置された入切スイッチ19だけが遠隔操作信号（第１信号25）を受信して、入切スイッチ19だけが入切操作され、一方、部屋６の専用のリモートコントローラ23から予め設定した遠隔操作信号（第２信号26）を発信すると、部屋６に設置された入切スイッチ20,21だけが遠隔操作信号（第２信号26）を受信して、入切スイッチ20,21だけが入切操作され、さらには、全部屋5,6に共通のリモートコントローラ24から予め設定した遠隔操作信号（第１信号25及び第２信号26、或いは第３信号27）を発信すると、家屋２の全部屋5,6に設置された全ての入切スイッチ19,20,21が遠隔操作信号（第１信号25及び第２信号26、或いは第３信号27）を受信して、全ての入切スイッチ19,20,21が入切操作されるようになっている。
【００３４】
たとえば、図３に示すように、全ての電気機器用の入切スイッチ19,20,21が接続状態となっており、それに連動して照明用の入切スイッチ17,18も接続状態となっている場合（図３(a)参照。）に、部屋５の専用のリモートコントローラ22を操作すると、部屋５の電気機器用の入切スイッチ19が切断状態となり、それに連動して照明用の入切スイッチ17も切断状態となり、一方、部屋６の電気機器用の入切スイッチ20,21は接続状態のままとなり、それに連動して照明用の入切スイッチ18も接続状態のままとなる（図３(b)参照。）。
【００３５】
また、全ての電気機器用の入切スイッチ19,20,21が接続状態となっており、それに連動して照明用の入切スイッチ17,18も接続状態となっている場合（図３(a)参照。）に、部屋６の専用のリモートコントローラ23を操作すると、部屋６の電気機器用の入切スイッチ20,21が切断状態となり、それに連動して照明用の入切スイッチ18も切断状態となり、一方、部屋５の電気機器用の入切スイッチ19は接続状態のままとなり、それに連動して照明用の入切スイッチ17も接続状態のままとなる（図３(c)参照。）。
【００３６】
さらに、全ての電気機器用の入切スイッチ19,20,21が接続状態となっており、それに連動して照明用の入切スイッチ17,18も接続状態となっている場合（図３(a)参照。）に、全部屋5,6に共通のリモートコントローラ24を操作すると、全部屋5,6の電気機器用の入切スイッチ19,20,21が切断状態となり、それに連動して照明用の入切スイッチ17,18も切断状態となる（図３(d)参照。）。
【００３７】
このように、配電システム１では、家屋２の内部の各部屋5,６毎に入切スイッチ19,20,21を設け、各入切スイッチ19,20,21を各部屋5,6毎に予め設定した遠隔操作信号によって入切操作を遠隔操作できるように電力断続供給ライン16を構成している。
【００３８】
そのため、配電システム１では、各部屋5,6毎に電力断続供給ライン16の入切操作を容易に行うことができ、配電システム１の使い勝手を向上させることができる。
【００３９】
また、配電システム１では、家屋２の各部屋5,6に設置した入切スイッチ19,20,21を共通のリモートコントローラ24で遠隔操作できるように電力断続供給ライン16を構成しているために、家屋２の内部の全ての部屋5,6の電力断続供給ライン16を一斉に入切操作することができ、これによっても、配電システム１の使い勝手を向上させることができる。
【図面の簡単な説明】
【００４０】
【図１】本発明に係る配電システムを示す模式図。
【図２】照明用の入切スイッチと電気機器用の入切スイッチとの連動関係を示す説明図。
【図３】リモートコントローラによる入切スイッチの動作を示す説明図。
【図４】他の配電システムを示す模式図。
【符号の説明】
【００４１】
1,1'  配電システム
２  家屋
３  配電盤
４  外部電線
5,6  部屋
7,8  照明器具
９  照明用電力供給ライン
10  ビデオレコーダー
11  冷暖房機
12  電力連続供給ライン
13  テレビ
14  コンピューター
15  デスクライト
16  電力断続供給ライン
17,18,19,20,21  入切スイッチ
22,23,24  リモートコントローラ
25  第１信号
26  第２信号
27  第３信号
【図１】
2007014169.tif 000003
【図２】
2007014169.tif 000004
【図３】
2007014169.tif 000005
【図４】
2007014169.tif 000006